(57)【要約】【課題】成形性を向上することができるコネクタを提供することを目的とする。【解決手段】コネクタ１は、導電性を有するバスバー６と、バスバー６を保持するホルダ７と、ホルダ７、及び、当該ホルダ７に保持されたバスバー６が内部に設けられ当該ホルダ７、及び、当該バスバー６と一体で成形され絶縁性を有すると共にバスバー６の端部が露出するハウジング５とを備え、ホルダ７は、ハウジング５の成形時にバスバー６を位置決めすると共にハウジング５に肉抜き部５３を形成するリブ７ｃを有することを特徴とする。これにより、コネクタ１は、リブ７ｃがハウジング５において肉抜き部５３を形成することで、ハウジング５の成形時に当該ハウジング５にひけやボイドが発生することを抑制することができる。この結果、このコネクタ１は、例えば、外観形状を所望の形状から変更することなく、成形性を向上することができる。【選択図】図２
2016122510.tif 000002
【特許請求の範囲】
【請求項１】
導電性を有するバスバーと、
前記バスバーを保持するホルダと、
前記ホルダ、及び、当該ホルダに保持された前記バスバーが内部に設けられ当該ホルダ、及び、当該バスバーと一体で成形され絶縁性を有すると共に前記バスバーの端部が露出するハウジングとを備え、
前記ホルダは、前記ハウジングの成形時に前記バスバーを位置決めすると共に前記ハウジングに肉厚を他の部位より薄肉化した部位である肉抜き部を形成するリブを有することを特徴とする、
コネクタ。
【請求項２】
導電性を有する接続体と、
前記接続体を保持する保持部材とを備え、
前記バスバーは、第１オス端子と第２オス端子とが屈曲部を介して一体に形成され、かつ、複数設けられ、
前記ホルダは、前記複数のバスバーを、各前記第１オス端子が第１仮想平面に沿って並び、各前記第２オス端子が前記第１仮想平面と交差する第２仮想平面に沿って並ぶように保持し、
前記ハウジングは、前記第１オス端子が露出し当該第１オス端子と電気的に接続される第１相手方部材が嵌合可能である第１嵌合空間部、及び、前記第２オス端子が露出する第２嵌合空間部を有し、
前記接続体は、第２相手方部材が挿入され電気的に接続される第１メス端子と前記第２オス端子が挿入され電気的に接続される第２メス端子とが一体に形成され、
前記保持部材は、前記第２嵌合空間部に嵌合し前記第２オス端子と前記第２メス端子とが電気的に接続された状態で前記接続体を保持する、
請求項１に記載のコネクタ。
【発明の詳細な説明】
【技術分野】
【０００１】
本発明は、コネクタに関する。
【背景技術】
【０００２】
従来のコネクタとして、例えば、特許文献１には、端子をホルダに保持した状態のホルダアッセンブリをインサート成形することで形成される中継コネクタが開示されている。
【先行技術文献】
【特許文献】
【０００３】
【特許文献１】特開２０１２−１６４５２０号公報
【発明の概要】
【発明が解決しようとする課題】
【０００４】
ところで、上述の特許文献１に記載の中継コネクタは、例えば、インサート成形に際し、ホルダによるバスバー固定を行っているが、ハウジングの成形性の点で更なる改善の余地がある。
【０００５】
本発明は、上記の事情に鑑みてなされたものであって、成形性を向上することができるコネクタを提供することを目的とする。
【課題を解決するための手段】
【０００６】
上記目的を達成するために、本発明に係るコネクタは、導電性を有するバスバーと、前記バスバーを保持するホルダと、前記ホルダ、及び、当該ホルダに保持された前記バスバーが内部に設けられ当該ホルダ、及び、当該バスバーと一体で成形され絶縁性を有すると共に前記バスバーの端部が露出するハウジングとを備え、前記ホルダは、前記ハウジングの成形時に前記バスバーを位置決めすると共に前記ハウジングに肉厚を他の部位より薄肉化した部位である肉抜き部を形成するリブを有することを特徴とする。
【０００７】
また、上記コネクタでは、導電性を有する接続体と、前記接続体を保持する保持部材とを備え、前記バスバーは、第１オス端子と第２オス端子とが屈曲部を介して一体に形成され、かつ、複数設けられ、前記ホルダは、前記複数のバスバーを、各前記第１オス端子が第１仮想平面に沿って並び、各前記第２オス端子が前記第１仮想平面と交差する第２仮想平面に沿って並ぶように保持し、前記ハウジングは、前記第１オス端子が露出し当該第１オス端子と電気的に接続される第１相手方部材が嵌合可能である第１嵌合空間部、及び、前記第２オス端子が露出する第２嵌合空間部を有し、前記接続体は、第２相手方部材が挿入され電気的に接続される第１メス端子と前記第２オス端子が挿入され電気的に接続される第２メス端子とが一体に形成され、前記保持部材は、前記第２嵌合空間部に嵌合し前記第２オス端子と前記第２メス端子とが電気的に接続された状態で前記接続体を保持するものとすることができる。
【発明の効果】
【０００８】
本発明に係るコネクタは、バスバーを保持しハウジング内部に当該ハウジングと一体で設けられるホルダがハウジングの成形時にバスバーを位置決めすると共にハウジングに肉抜き部を形成するリブを有する。これにより、コネクタは、ハウジングの成形時にリブによってバスバーを所定の位置に確実に位置決めすることができると共に、当該リブがハウジングにおいて肉抜き部を形成することで、ハウジングの成形時に当該ハウジングにひけやボイドが発生することを抑制することができる。この結果、このコネクタは、成形性を向上することができる、という効果を奏する。
【図面の簡単な説明】
【０００９】
【図１】図１は、実施形態に係るコネクタの概略構成を表す斜視図である。
【図２】図２は、図１中に示すＡ−Ａ断面図である。
【図３】図３は、実施形態に係るコネクタのバスバーアセンブリの分解斜視図である。
【図４】図４は、実施形態に係るコネクタのバスバーアセンブリの斜視図である。
【図５】図５は、図１中に示すＢ矢視図である。
【図６】図６は、図１中に示すＣ矢視図である。
【図７】図７は、実施形態に係るコネクタのメスアセンブリの分解斜視図である。
【図８】図８は、実施形態に係るコネクタのメスアセンブリの斜視図である。
【発明を実施するための形態】
【００１０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１１】
［実施形態］
図１は、実施形態に係るコネクタの概略構成を表す斜視図である。図２は、図１中に示すＡ−Ａ断面図である。図３は、実施形態に係るコネクタのバスバーアセンブリの分解斜視図である。図４は、実施形態に係るコネクタのバスバーアセンブリの斜視図である。図５は、図１中に示すＢ矢視図である。図６は、図１中に示すＣ矢視図である。図７は、実施形態に係るコネクタのメスアセンブリの分解斜視図である。図８は、実施形態に係るコネクタのメスアセンブリの斜視図である。
【００１２】
図１、図２に示す本実施形態に係るコネクタ１は、自動車等に使用されるワイヤハーネスと電気機器との接続に使用されるいわゆる中継コネクタである。本実施形態に係るコネクタ１は、略Ｌ字状に曲がったオスメス中継コネクタであり、ハウジング（オスハウジング５）内部に設けられる屈曲部６ｃの両側で第１相手方部材１０１と第２相手方部材１０２とを電気的に接続するものである。ここでは、第１相手方部材１０１は、例えば、ワイヤハーネスの電線の末端に接続されるメスコネクタであり、コネクタハウジング１０１ａと、当該コネクタハウジング１０１ａに支持された複数のメス端子１０１ｂとを含んで構成される。第２相手方部材１０２は、例えば、電気機器に設けられた接続部位であり、電気機器の筐体１０２ａに支持された複数のオス端子１０２ｂを含んで構成される。
【００１３】
具体的には、コネクタ１は、オスハウジングアセンブリ（以下、単に「オスアセンブリ」という場合がある。）２と、メスハウジングアセンブリ（以下、単に「メスアセンブリ」という場合がある。）３とを備える。
【００１４】
オスアセンブリ２は、バスバーアセンブリ４と、オスハウジング５とを含んで構成される。オスアセンブリ２は、オスハウジング５の内部にバスバーアセンブリ４が設けられ、これらが一体で形成される。
【００１５】
バスバーアセンブリ４は、図２、図３、図４に示すように、複数のバスバー６と、ホルダ７とを含んで構成される。バスバーアセンブリ４は、複数のバスバー６がホルダ７に保持されることで構成される。
【００１６】
各バスバー６は、第１オス端子６ａと第２オス端子６ｂとが屈曲部６ｃを介して一体に形成され導電性を有する。各バスバー６は、全体が導電性の金属材等で構成され、表面に導電性のめっき等が施されている。各バスバー６は、例えば、プレス加工等によって棒状に形成された角形線材を略Ｌ字型に折り曲げることで屈曲部６ｃが形成される。各バスバー６は、屈曲部６ｃを介して一方側の端部に第１オス端子６ａが形成され、他方側の端部に第２オス端子６ｂが形成される。言い換えれば、各バスバー６は、第１オス端子６ａと第２オス端子６ｂとが屈曲部６ｃを介して交差するように、ここでは直交するように接続される。つまり、各バスバー６は、棒状に形成された第１オス端子６ａの一端と棒状に形成された第２オス端子６ｂの一端とを屈曲部６ｃを介して直接結合させた結合端子を構成する。
【００１７】
本実施形態のバスバーアセンブリ４は、複数のバスバー６として、３つの第１段目バスバー６Ａと、３つの第２段目バスバー６Ｂとの合計６つを含んで構成される。ここでは、第１段目バスバー６Ａは、第２段目バスバー６Ｂと比較して、屈曲部６ｃを基点とした第１オス端子６ａの長さ、及び、屈曲部６ｃを基点とした第２オス端子６ｂの長さが相対的に長くなるように形成される。３つの第１段目バスバー６Ａは、相互において、ホルダ７への係止部位等の位置、形状が相互に若干異なるが概略同様の略Ｌ字型形状をなしている。同様に、３つの第２段目バスバー６Ｂは、相互において、ホルダ７への係止部位等の位置、形状が相互に若干異なるが概略同様の略Ｌ字型形状をなしている。なお、以下の説明では、第１段目バスバー６Ａは、第２段目バスバー６Ｂを特に区別して説明する必要がない場合には、単にバスバー６とし、共通の説明とする。
【００１８】
ホルダ７は、バスバー６を保持するものであり、全体が絶縁性の合成樹脂材等で構成される。ホルダ７は、第１段目バスバー６Ａと第２段目バスバー６Ｂとを第１の方向としての積層方向（図３、図４等参照）に積層させて保持する。また、ホルダ７は、複数の第１段目バスバー６Ａを第２の方向としての配列方向（図３、図４等参照）に沿って所定の間隔をあけて配列して保持する。同様に、ホルダ７は、複数の第２段目バスバー６Ｂを第２の方向としての配列方向に沿って所定の間隔をあけて配列して保持する。ホルダ７は、各バスバー６の第１オス端子６ａが第３の方向としての延在方向（図３、図４等参照）に沿い、かつ、各バスバー６の第２オス端子６ｂが積層方向に沿うような位置関係で、これら複数のバスバー６を保持する。
【００１９】
なお、本実施形態では、積層方向と配列方向と延在方向とは、相互に直交する。また、以下の説明で用いる各方向は、特に断りのない限り、各部が相互に組み付けられた状態での方向を表す。
【００２０】
本実施形態のホルダ７は、全体として略直方体状に形成されると共に、複数の保持凹部７ａ、複数の係止爪部７ｂ、複数のリブ７ｃ等を含んで構成される。保持凹部７ａは、各バスバー６の第１オス端子６ａを保持する凹部状の溝部であり、延在方向に沿って形成される。保持凹部７ａは、ホルダ７における積層方向の一方側の面に第１段目バスバー６Ａを保持するためのものが３つ設けられ、積層方向の他方側の面に第２段目バスバー６Ｂを保持するためのものが３つ設けられる。係止爪部７ｂは、保持凹部７ａに保持された各バスバー６の第１オス端子６ａを係止するための爪状の部分であり、複数箇所に設けられている。リブ７ｃは、矩形板状に形成され、例えば、当該ホルダ７を補強する部分である。このリブ７ｃについては、後で詳細に説明する。各バスバー６は、第１オス端子６ａが保持凹部７ａに嵌合すると共に係止部位が係止爪部７ｂに係止されることでホルダ７に保持される。ホルダ７は、各バスバー６（第１段目バスバー６Ａ、第２段目バスバー６Ｂ）の第１オス端子６ａが保持凹部７ａに保持された状態で、各バスバー６の第１オス端子６ａが延在方向の同じ側に突出すると共に、各バスバー６の第２オス端子６ｂが積層方向の同じ側に突出するような位置関係で、各バスバー６を保持する。つまり、ホルダ７は、複数のバスバー６を、各第１オス端子６ａが第１仮想平面に沿って並び、各第２オス端子６ｂが第１仮想平面と交差する第２仮想平面に沿って並ぶように保持する。ここでは、ホルダ７は、複数の第１段目バスバー６Ａを、各第１オス端子６ａが第１仮想平面Ｐ１１に沿って並び、各第２オス端子６ｂが第１仮想平面Ｐ１１と交差する第２仮想平面Ｐ１２に沿って並ぶように保持する。同様に、ホルダ７は、第２段目バスバー６Ｂを、各第１オス端子６ａが第１仮想平面Ｐ２１に沿って並び、各第２オス端子６ｂが第１仮想平面Ｐ２１と交差する第２仮想平面Ｐ２２に沿って並ぶように保持する。そして、第１段目バスバー６Ａと第２段目バスバー６Ｂとは、上述したように、第１オス端子６ａ、第２オス端子６ｂの長さが相互に異なることで、ホルダ７に保持された状態で、第１オス端子６ａの延在方向の先端位置、及び、第２オス端子６ｂの積層方向の先端位置がほぼ揃うように構成されている。
【００２１】
オスハウジング５は、図１、図２、図５、図６に示すように、バスバーアセンブリ４が内部に設けられ当該バスバーアセンブリ４と一体で形成され絶縁性を有すると共にバスバー６の端部、すなわち、第１オス端子６ａ、第２オス端子６ｂが露出する。オスハウジング５は、全体が絶縁性の合成樹脂材等で構成される。オスハウジング５は、例えば、インサート成形等によってバスバーアセンブリ４と一体で成形される。つまり、オスアセンブリ２は、例えば、インサート成形用の金型内にバスバーアセンブリ４をセットし、当該バスバーアセンブリ４の周りに絶縁性の樹脂を注入してバスバーアセンブリ４と樹脂によって形成されるオスハウジング５とを一体化することで形成される。
【００２２】
本実施形態のオスハウジング５は、角部が丸みを帯びた略矩形柱状に形成される。オスハウジング５は、長手方向がバスバーアセンブリ４の延在方向と一致するように形成される。そして、オスハウジング５は、延在方向（長手方向）の一方側の端面に第１嵌合空間部５１を有し、積層方向の一方側の面に第２嵌合空間部５２を有する。
【００２３】
第１嵌合空間部５１は、オスハウジング５において、延在方向の一方側の端面（第１オス端子６ａが突出する側の端面）に形成される開口部であり、各第１オス端子６ａが露出し当該各第１オス端子６ａと電気的に接続される第１相手方部材１０１が嵌合可能なフード部を構成するものである。第１嵌合空間部５１は、第１相手方部材１０１のコネクタハウジング１０１ａが嵌合可能な大きさ、形状の空間部として形成され、ここでは、角部が丸みを帯びた略矩形柱状に形成される。各第１オス端子６ａは、当該第１嵌合空間部５１内に突出して露出している。各第１オス端子６ａの先端は、当該第１嵌合空間部５１内に位置している。
【００２４】
第２嵌合空間部５２は、オスハウジング５において、積層方向の一方側の面（第２オス端子６ｂが突出する側の面）に形成される開口部であり、各第２オス端子６ｂが露出し当該各第２オス端子６ｂと電気的に接続される後述するメスアセンブリ３が嵌合可能なフード部を構成するものである。第２嵌合空間部５２は、積層方向の一方側の面において、延在方向の他方側、すなわち、第１嵌合空間部５１が形成される側とは反対側の端部に形成される。第２嵌合空間部５２は、後述するメスアセンブリ３のメスハウジング９が嵌合可能な大きさ、形状の空間部として形成され、ここでは、角部が丸みを帯びた略矩形柱状に形成される。各第２オス端子６ｂは、当該第２嵌合空間部５２内に突出して露出している。各第２オス端子６ｂの先端は、当該第２嵌合空間部５２内に位置している。
【００２５】
メスアセンブリ３は、図２、図７、図８に示すように、複数の接続体８と、メスハウジング９と、第１パッキン１０と、第２パッキン１１とを含んで構成される。メスアセンブリ３は、複数の接続体８がメスハウジング９に保持され、当該メスハウジング９の外周面に第１パッキン１０、第２パッキン１１が装着される。
【００２６】
各接続体８は、第２相手方部材１０２のオス端子１０２ｂが挿入され電気的に接続される第１メス端子８ａと第２オス端子６ｂが挿入され電気的に接続される第２メス端子８ｂとが一体に形成され導電性を有する。各接続体８は、全体が導電性の金属材等で構成され、表面に導電性のめっき等が施されている。各接続体８は、例えば、プレス加工等によって、第１メス端子８ａ、第２メス端子８ｂがオス端子１０２ｂ、第２オス端子６ｂを挟み込んで挟持し、これら第２オス端子６ｂ、オス端子１０２ｂと電気的に接続可能な形状に形成される。各接続体８は、全体として棒状に形成され、一方側の端部に第１メス端子８ａが形成され、他方側の端部に第２メス端子８ｂが形成される。言い換えれば、各接続体８は、第１メス端子８ａの一端と第２メス端子８ｂの一端とを直線状に直接結合させた結合端子を構成する。ここでは、接続体８は、バスバー６の第１オス端子６ａの数に対応して６つ設けられる。
【００２７】
メスハウジング９は、接続体８を保持する保持部材であり、全体が絶縁性の合成樹脂材等で構成される。メスハウジング９は、第２嵌合空間部５２に嵌合し第２オス端子６ｂと第２メス端子８ｂとが電気的に接続された状態で各接続体８を保持する。メスハウジング９は、一部が第２嵌合空間部５２に嵌合可能な大きさ、形状に形成され、ここでは、角部が丸みを帯びた略矩形柱状に形成され、一端側が第２嵌合空間部５２に嵌合可能となっている。メスハウジング９は、複数の収容孔部９ａ、第１装着溝部９ｂ、第２装着溝部９ｃ、複数の第１係止爪部９ｄ、複数の第２係止爪部９ｅ等を含んで構成される。
【００２８】
収容孔部９ａは、接続体８を収容、保持する孔部であり、当該メスハウジング９の本体部分を積層方向に貫通している。収容孔部９ａは、積層方向の一方側、ここでは、メスハウジング９が第２嵌合空間部５２に嵌合した際に第２嵌合空間部５２内に位置する側から接続体８が圧入される。この場合、接続体８は、第１メス端子８ａ側から収容孔部９ａに圧入される。これにより、接続体８は、収容孔部９ａ内に保持され、メスハウジング９が第２嵌合空間部５２に嵌合した状態で、第２メス端子８ｂが第２嵌合空間部５２側に位置し、第１メス端子８ａが第２嵌合空間部５２とは反対側に位置する。また、収容孔部９ａは、接続体８が第１メス端子８ａ側から脱落しないような形状となっている。収容孔部９ａは、接続体８の数に対応して６つ設けられる。
【００２９】
第１装着溝部９ｂは、第１パッキン１０が装着される凹部状の溝部であり、メスハウジング９の本体部分に延在方向及び配列方向に沿った環状に形成される。第２装着溝部９ｃは、第２パッキン１１が装着される凹部状の溝部であり、メスハウジング９の本体部分に延在方向及び配列方向に沿った環状に形成される。第１装着溝部９ｂと第２装着溝部９ｃとは、メスハウジング９がオスハウジング５の第２嵌合空間部５２に嵌合した状態で、第１装着溝部９ｂが第２嵌合空間部５２側に位置し、第２装着溝部９ｃが第２嵌合空間部５２とは反対側に位置する。
【００３０】
第１係止爪部９ｄは、メスハウジング９がオスハウジング５の第２嵌合空間部５２に嵌合した状態で、当該メスハウジング９をオスハウジング５に係止するための爪状の部分であり、複数箇所に設けられている。第１係止爪部９ｄは、オスハウジング５の所定の部分に係合することで、メスハウジング９をオスハウジング５に係止する。第２係止爪部９ｅは、当該メスハウジング９を第２相手方部材１０２の筐体１０２ａに係止するための爪状の部分であり、複数箇所に設けられている。第２係止爪部９ｅは、筐体１０２ａの所定の部分に係合することで、メスハウジング９を筐体１０２ａに係止する。第１係止爪部９ｄ、第２係止爪部９ｅは、積層方向において、第１装着溝部９ｂと第２装着溝部９ｃとの間に形成されている。
【００３１】
第１パッキン１０、第２パッキン１１は、絶縁性の合成樹脂材等で構成されるシール部材である。第１パッキン１０、第２パッキン１１は、弾性を有する弾性部材であり、環状に形成される。第１パッキン１０は、第１装着溝部９ｂに装着され、第２パッキン１１は、第２装着溝部９ｃに装着される。第１パッキン１０は、メスハウジング９がオスハウジング５の第２嵌合空間部５２に嵌合した状態で、メスハウジング９とオスハウジング５との間に介在して密着し、外部側から第２オス端子６ｂと第２メス端子８ｂとの接点部側への水の浸入を抑制する。第２パッキン１１は、第２相手方部材１０２とメスハウジング９とが組み付けられた状態で、筐体１０２ａとオスハウジング５との間に介在して密着し、外部側から第１メス端子８ａとオス端子１０２ｂとの接点部側への水の浸入を抑制する。
【００３２】
上記のように構成されるコネクタ１は、メスアセンブリ３がオスアセンブリ２に組み付けられることで全体が構成される。すなわち、コネクタ１は、メスアセンブリ３を構成するメスハウジング９がオスアセンブリ２を構成するオスハウジング５の第２嵌合空間部５２に嵌合して係止され、オスアセンブリ２を構成する第２オス端子６ｂとメスアセンブリ３を構成する第２メス端子８ｂとが電気的に接続されることで全体が構成される。コネクタ１は、このようにオスアセンブリ２とメスアセンブリ３とを分割構造として構成した上で相互に組み付けられることで、略Ｌ字状に曲がったオスメス中継コネクタを適正に成立させることができる。
【００３３】
ここで、例えば、比較例として、コネクタは、メスアセンブリ３を廃止して、バスバー６において第２オス端子６ｂにかえて第１メス端子８ａを一体で形成し、当該バスバー６とオスハウジング５とを一体でインサート成形した場合、下記のような事態が生じるおそれがある。すなわち、当該比較例に係るコネクタは、第１メス端子８ａの一部をオスハウジング５に埋設し一体化して固定しようとする場合、第１メス端子８ａを含むバスバー６とオスハウジング５とを一体成形する際に第１メス端子８ａの中から樹脂漏れが発生するおそれがある。一方、比較例に係るコネクタは、第１メス端子８ａをオスハウジング５から完全に露出させてバスバー６を固定しようとする場合、インサート成形用の金型の抜きがし難くなり、また、第１メス端子８ａの位置ズレ（振れ）が発生しやすくなるおそれがある。
【００３４】
これに対して、本実施形態のコネクタ１は、第１オス端子６ａ、第２オス端子６ｂを含むバスバー６とオスハウジング５とを一体成形してオスアセンブリ２が構成される。これにより、コネクタ１は、バスバー６に屈曲部６ｃが形成され当該バスバー６をオスハウジング５の内部に後付けし難い形状である場合であっても、当該バスバー６とオスハウジング５とを一体成形することによってオスアセンブリ２を構成することができる。一方、コネクタ１は、第１メス端子８ａ、第２メス端子８ｂを含む接続体８をメスハウジング９に圧入して設けることでメスアセンブリ３が構成される。これにより、コネクタ１は、一体成形によらないで接続体８をメスハウジング９の内部に後付けしてメスアセンブリ３を構成することができる。そして、コネクタ１は、上記のようにして別個に構成されたオスアセンブリ２とメスアセンブリ３とを組み付けることで全体を構成することができる。
【００３５】
そして、本実施形態のホルダ７は、図２、図３、図４に示すように、リブ７ｃがオスハウジング５の成形時にバスバー６を位置決めすると共にオスハウジング５に肉抜き部５３を形成することで、当該オスハウジング５の成形性の向上を図っている。
【００３６】
リブ７ｃは、複数形成される。各リブ７ｃは、積層方向に沿って延在する。ここでは、複数のリブ７ｃは、各保持凹部７ａの周りを不連続に間隔をあけて囲うように略矩形壁状、略矩形柱状、あるいは、屈曲部を有する壁状等に形成される。
【００３７】
複数のリブ７ｃは、オスアセンブリ２をインサート成形するべくバスバーアセンブリ４がインサート成形用の金型内にセットされた際にバスバー６を含むバスバーアセンブリ４全体を金型内の所定の位置に固定する。そして、複数のリブ７ｃは、当該バスバーアセンブリ４の周りに絶縁性の樹脂が注入される際に、当該注入された樹脂が直接各バスバー６にあたることを抑制する防護壁として機能し、樹脂注入時の樹脂圧で各バスバー６が振れたり位置ズレしたりすることを抑制する。
【００３８】
そして、複数のリブ７ｃは、オスハウジング５の成形後において、当該オスハウジング５の肉抜き部５３を形成する。ここで、肉抜き部５３とは、オスハウジング５の外観形状を所望の形状で維持した上で、当該オスハウジング５の構造上、不要な部分の肉厚（壁厚）を内部側から薄くした部位である。肉抜き部５３は、典型的には、オスハウジング５において、肉厚を他の部位より薄肉化した部位である。つまり、本実施形態のホルダ７は、オスハウジング５を成形する際の樹脂注入時の防護壁と、オスハウジング５の肉抜き用のリブとを、当該リブ７ｃによって兼用する。
【００３９】
以上で説明したコネクタ１によれば、導電性を有するバスバー６と、バスバー６を保持するホルダ７と、ホルダ７、及び、当該ホルダ７に保持されたバスバー６が内部に設けられ当該ホルダ７、及び、当該バスバー６と一体で成形され絶縁性を有すると共にバスバー６の端部が露出するオスハウジング５とを備え、ホルダ７は、オスハウジング５の成形時にバスバー６を位置決めすると共にオスハウジング５に肉抜き部５３を形成するリブ７ｃを有する。ここでは、肉抜き部５３は、オスハウジング５において、肉厚を他の部位より薄肉化した部位である。
【００４０】
したがって、コネクタ１は、バスバー６を保持しオスハウジング５内部に当該オスハウジング５と一体で設けられるホルダ７がオスハウジング５の成形時にバスバー６を位置決めすると共にオスハウジング５に肉抜き部５３を形成するリブ７ｃを有する。これにより、コネクタ１は、オスハウジング５の成形時にリブ７ｃによってバスバー６を所定の位置に確実に位置決めすることができると共に、当該リブ７ｃがオスハウジング５において肉抜き部５３を形成することで、オスハウジング５の成形時に当該オスハウジング５にひけやボイドが発生することを抑制することができる。この結果、このコネクタ１は、例えば、外観形状を所望の形状から変更することなく、成形性を向上することができる。
【００４１】
さらに、以上で説明したコネクタ１によれば、導電性を有する接続体８と、接続体８を保持するメスハウジング９とを備え、バスバー６は、第１オス端子６ａと第２オス端子６ｂとが屈曲部６ｃを介して一体に形成され、かつ、複数設けられ、ホルダ７は、複数のバスバー６を、各第１オス端子６ａが第１仮想平面Ｐ１１、Ｐ２１に沿って並び、各第２オス端子６ｂが第１仮想平面Ｐ１１、Ｐ２１と交差する第２仮想平面Ｐ１２、Ｐ２２に沿って並ぶように保持し、オスハウジング５は、第１オス端子６ａが露出し当該第１オス端子６ａと電気的に接続される第１相手方部材１０１が嵌合可能である第１嵌合空間部５１、及び、第２オス端子６ｂが露出する第２嵌合空間部５２を有し、接続体８は、第２相手方部材１０２が挿入され電気的に接続される第１メス端子８ａと第２オス端子６ｂが挿入され電気的に接続される第２メス端子８ｂとが一体に形成され、メスハウジング９は、第２嵌合空間部５２に嵌合し第２オス端子６ｂと第２メス端子８ｂとが電気的に接続された状態で接続体８を保持する。
【００４２】
したがって、コネクタ１は、メスハウジング９がオスハウジング５の第２嵌合空間部５２に嵌合し、オスハウジング５の内部に一体で形成されたバスバー６の第２オス端子６ｂとオスハウジング５とは別体に形成された接続体８の第２メス端子８ｂとが電気的に接続された状態で、メスハウジング９によって接続体８が保持される。そして、コネクタ１は、第１相手方部材１０１がオスハウジング５の第１嵌合空間部５１に嵌合し、第１相手方部材１０１とバスバー６の第１オス端子６ａとが電気的に接続される一方、第２相手方部材１０２が接続体８の第１メス端子８ａに挿入され、第２相手方部材１０２と第１メス端子８ａとが電気的に接続される。この結果、このコネクタ１は、オスハウジング５内部に設けられる屈曲部６ｃの両側で相手方部材（第１相手方部材１０１、第２相手方部材１０２）を電気的に接続することができる。さらに言えば、コネクタ１は、第１オス端子６ａ、第２オス端子６ｂが複数設けられ、これらが相互に交差するように配置される構成において、上記のようにオスハウジング５内部に設けられる屈曲部６ｃの両側で相手方部材（第１相手方部材１０１、第２相手方部材１０２）を電気的に接続する構成を適正に成立させることができる。
【００４３】
そして、コネクタ１は、バスバー６とオスハウジング５とを含んで構成されるオスアセンブリ２と、接続体８とメスハウジング９とを含んで構成されるメスアセンブリ３とを分割構造として構成した上で相互に組み付けられることで、オスハウジング５内部に設けられる屈曲部６ｃの両側で相手方部材（第１相手方部材１０１、第２相手方部材１０２）を電気的に接続する構成を適正に成立させることができる。コネクタ１は、このような構成において、上記のようにオスハウジング５の成形性を向上することができる。
【００４４】
なお、上述した本発明の実施形態に係るコネクタは、上述した実施形態に限定されず、特許請求の範囲に記載された範囲で種々の変更が可能である。
【００４５】
以上の説明では、積層方向と配列方向と延在方向とは、相互に直交するものとして説明したがこれに限らない。以上の説明では、コネクタ１は、略Ｌ字状に曲がったオスメス中継コネクタであり、各バスバー６は、角形線材を略Ｌ字型に折り曲げることで屈曲部６ｃが形成されるものとして説明したがこれに限らない。コネクタ１は、屈曲部６ｃを有さないコネクタであってもよく、必ずしもオスアセンブリ２とメスアセンブリ３とを分割構造として構成した上で相互に組み付ける構成でなくてもよい。
【符号の説明】
【００４６】
１    コネクタ
２    オスアセンブリ
３    メスアセンブリ
４    バスバーアセンブリ
５    オスハウジング（ハウジング）
６    バスバー
６ａ    第１オス端子
６ｂ    第２オス端子
６ｃ    屈曲部
７    ホルダ
７ｃ    リブ
８    接続体
８ａ    第１メス端子
８ｂ    第２メス端子
９    メスハウジング（保持部材）
５１    第１嵌合空間部
５２    第２嵌合空間部
５３    肉抜き部
１０１    第１相手方部材
１０２    第２相手方部材
Ｐ１１、Ｐ２１    第１仮想平面
Ｐ１２、Ｐ２２    第２仮想平面
【図１】
2016122510.tif 000003
【図２】
2016122510.tif 000004
【図３】
2016122510.tif 000005
【図４】
2016122510.tif 000006
【図５】
2016122510.tif 000007
【図６】
2016122510.tif 000008
【図７】
2016122510.tif 000009
【図８】
2016122510.tif 000010